(57)【特許請求の範囲】
【請求項１】
発電器を内部に配設した筐体を備えたガスコジェネレーションであって、
前記筐体は、互いに隣接する一組のパネルが締結部材により固定される複数のパネルと、前記複数のパネルの少なくとも一つが締結部材により固定されるフレームと、を有し、
前記一組のパネルの一方には第一係止部が設けられ、
前記一組のパネルの他方には前記第一係止部に係止して前記一組のパネルの一方を他方に仮止めさせる第一被係止部が設けられ、
前記複数のパネルの一つと、前記フレームと、の一方には第二係止部が設けられ、
前記複数のパネルの一つと、前記フレームと、の他方には、前記第二係止部に係止して前記複数のパネルの一つを前記フレームに仮止めさせる第二被係止部が設けられ、
前記第一係止部及び前記第一被係止部は、前記第二係止部と前記第二被係止部とが仮止めされた状態で、前記一組のパネルが締結部材により固定される前に仮止め可能に構成され、
前記第二係止部及び前記第二被係止部は、前記複数のパネルの少なくとも一つが締結部材により前記フレームに固定される前に仮止め可能に構成されているガスコジェネレーション。
【請求項２】
前記フレームは複数のフレーム部材を互いに連結させて一体的に組みつけたものであり、
互いに連結される前記複数のフレーム部材の一方には第三係止部と、互いに連結される前記複数のフレーム部材の他方には前記第三係止部に係止して前記複数のフレーム部材の一方を他方に仮止めさせる第三被係止部とを備えた請求項１記載のガスコジェネレーション。
【請求項３】
前記筐体は前記複数のパネルの一つとして設置面に配置されるベースパネルを有し、
前記ベースパネルに前記フレームが固定され、
前記ベースパネルを除く前記複数のパネルは、前記第一係止部が前記第一被係止部に係止されるとともに、前記第二係止部が前記第二被係止部に係止されることで前記ベースパネルまたは前記フレームに仮止めされた状態で前記ベースパネルまたは前記フレームに固定された請求項１または２記載のガスコジェネレーション。
【請求項４】
前記複数のパネルを互いに組み付けて前記筐体とした状態で、
前記第一係止部と前記第一被係止部の係止部分、および／または、前記第二係止部と前記第二被係止部の係止部分は、外側から隠れる位置に配置された請求項１〜３の何れか１項記載のガスコジェネレーション。
【発明の詳細な説明】
【技術分野】
【０００１】
本発明は、ガスコジェネレーションに関する。
【背景技術】
【０００２】
ガスコジェネレーションの一形式として、特許文献１に示されているものが知られている。ガスコジェネレーションの一形式である特許文献１の燃料電池システムの筐体は、据付面に固定されるベース部１００と、複数の機器を取り付けるためにベース部１００に設置される支持部材１１１と、ベース部１００上に取り付けられてベース部１００上を仕切る隔壁１１７と、隔壁１１７およびベース部１００に着脱可能に固定される外板パネル１１５とを備えている。
【０００３】
外板パネル１１５は正面及び左側部の一部を覆う正面パネル部１１５ａと、背面と左側部の一部を覆う背面パネル部１１５ｂと、右側面を覆う側面パネル部１１５ｃと、天井部を覆う天井パネル部１１５ｄとから構成されている。正面パネル部１１５ａ、背面パネル部１１５ｂおよび側面パネル部１１５ｃは、ベース部１００と隔壁１１７にボルト等によって着脱可能に固定されている。また、正面パネル部１１５ａと背面パネル部１１５ｂとのオーバーラップしている部分がボルトなどによって相互に連結されている。側面パネル部１１５ｃは正面パネル部１１５ａと背面パネル部１１５ｂの右側面部の開口を閉塞するようにベース部１００にボルト等によって着脱可能に固定されている。天井パネル部１１５ｄは周縁部が下側に折り曲げられて浅い箱形形状をし、正面パネル部１１５ａ、背面パネル部１１５ｂおよび側面パネル部１１５ｃに外嵌され、ボルト等によって着脱可能に固定されている。
【先行技術文献】
【特許文献】
【０００４】
【特許文献１】特開２００９−２６６６３４号公報
【発明の概要】
【発明が解決しようとする課題】
【０００５】
上述した特許文献１の燃料電池システムの筐体においては、正面パネル部１１５ａと背面パネル部１１５ｂはベース部１００と隔壁１１７にボルト等により着脱可能に取り付けられ、側面パネル部１１５ｃはベース部１００にボルト等により着脱可能に取り付けられ、天井パネル部１１５ｄは正面パネル部１１５ａ、背面パネル部１１５ｂおよび側面パネル部１１５ｃに外嵌された状態でボルト等によって着脱可能に固定されている。この燃料電池システムで、内部の機器をメンテナンスするときには、天井パネル部１１５ｄと側面パネル部１１５ｃを取り外すとともに、正面パネル部１１５ａと背面パネル部１１５ｂを必要に応じて取り外し、内部の機器を露出させた状態とする必要がある。しかし、正面パネル部１１５ａ、背面パネル部１１５ｂおよび側面パネル部１１５ｃを着脱するときに、各パネル部を持った状態でボルト等の締結操作または弛める操作をしなければならなく、作業性が良くない問題があった。本発明は上述した問題を解消するためになされたものであり、ガスコジェネレーションの筐体を構成するパネルの着脱の作業性を向上させることを目的とする。
【課題を解決するための手段】
【０００６】
上記の課題を解決するため、請求項１に係るガスコジェネレーションの発明は、発電器を内部に配設した筐体を備えたガスコジェネレーションであって、筐体は、互いに隣接する一組のパネルが締結部材により固定される複数のパネルと、複数のパネルの少なくとも一つが締結部材により固定されるフレームと、を有し、一組のパネルの一方には第一係止部が設けられ、一組のパネルの他方には第一係止部に係止して一組のパネルの一方を他方に仮止めさせる第一被係止部が設けられ、複数のパネルの一つと、フレームと、の一方には第二係止部が設けられ、複数のパネルの一つと、フレームと、の他方には、第二係止部に係止して複数のパネルの一つをフレームに仮止めさせる第二被係止部が設けられ、第一係止部及び第一被係止部は、第二係止部と第二被係止部とが仮止めされた状態で、一組のパネルが締結部材により固定される前に仮止め可能に構成され、第二係止部及び第二被係止部は、複数のパネルの少なくとも一つが締結部材によりフレームに固定される前に仮止め可能に構成されている。
【発明の効果】
【０００７】
これによれば、複数のパネルを構成する一組のパネルの一方の第一係止部を他方のパネルの第二係止部に係止させることで、一方のパネルを他方のパネルに仮止めできるようになり、パネルの組み付け作業の作業性を向上させることができる。
【図面の簡単な説明】
【０００８】
【図１】本発明の一実施形態におけるガスコジェネレーションの概要図である。
【図２】図１に示す発電器の断面図である。
【図３】筐体のベースパネルおよびセンターフレームを示す斜視図である。
【図４】図３のＡの位置で支柱部に連結部を組み付けた状態の拡大図である。
【図５】図３のＢの位置で支柱部に連結部を組み付けた状態の拡大図である。
【図６】ベースパネルとフレームに後側面パネルを組み付けるときの斜視図である。
【図７】図６のＣの位置でパネルを組み付けた状態の拡大図である。
【図８】図６のＤの位置でパネルを組み付けた状態の拡大図である。
【図９】ベースパネルと後側面パネルに左側面パネルを組み付けるときの斜視図である。
【図１０】図９のＥの位置でパネルを組み付けた状態の拡大図である。
【図１１】図９のＦの位置でパネルを組み付けた状態の拡大図である。
【図１２】後側面パネルとフレームに右側面パネルを組み付けるときの斜視図である。
【図１３】図１２のＧの位置でパネルを組み付ける前と組み付けた後の拡大図である。
【図１４】後側面パネルと左右側面パネルに天井パネルを組み付けるときの斜視図である。
【図１５】ベースパネルとフレームに第一前側面パネルを組み付けるときの斜視図である。
【図１６】図１５のＨの位置でパネルを組み付けるときの拡大図である。
【図１７】フレームに第二前側面パネルを組み付けるときの斜視図である。
【図１８】図１７のＩの位置でパネルを組み付けた状態の拡大図である。
【図１９】フレームに第三前側面パネルを組み付けるときの斜視図である（１）。
【図２０】フレームに第三前側面パネルを組み付けるときの斜視図である（２）。
【発明を実施するための形態】
【０００９】
以下、本発明によるガスコジェネレーションの一実施形態について図１を参照して説明する。このガスコジェネレーション１は、発電ユニット１０および貯湯ユニット２０を備えている。また、ガスコジェネレーション１は、燃料電池式のガスコジェネレーションである。また、ガスコジェネレーション１は、屋内に配置されてもよく、屋外に配置されてもよい。
【００１０】
発電ユニット１０は、筐体１０ａ、発電器１１、熱交換器１２、インバータ装置１３、および制御装置１４を備えている。発電器１１は、直流電力を発電するものであり、インバータ装置１３は、発電器１１から供給された直流電流（直流電力）を交流電流（交流電力）に変換して出力するものである。筐体１０ａは、後述するように、箱状、例えば直方体形状に形成されている。筐体１０ａは、発電器１１、熱交換器１２、インバータ装置１３、および制御装置１４などを内部に収容している。
【００１１】
図２に示すように、発電器１１は、燃料電池１１ａ、蒸発部１１ｂ、改質部１１ｃ、燃焼部１１ｄ、および筐体１１ｅを備えている。筐体１１ｅは、箱状に形成され、断熱性を有している。例えば、筐体１１ｅは、断熱材で構成される断熱層が形成されている。
【００１２】
蒸発部１１ｂは、改質用原料供給管１１ｆを介して供給源Ｇｓから改質用原料が供給されるとともに、水供給管１１ｇを介して水タンク１１ｈから改質水が供給される。なお、改質用原料供給管１１ｆには、原料ポンプ１１ｆ１が設けられるとともに、水供給管１１ｇには、改質水ポンプ１１ｇ１が設けられている。
蒸発部１１ｂは、後述する燃焼ガスにより加熱されて、供給された改質水を蒸発させて水蒸気を生成するとともに、供給された改質用原料を予熱するものである。蒸発部１１ｂは、このように生成された水蒸気と予熱された改質用原料を混合して混合ガスを改質部１１ｃに供給するものである。改質用原料としては天然ガス、ＬＰＧなどの改質用気体燃料、灯油、ガソリン、メタノールなどの改質用液体燃料がある。
【００１３】
改質部１１ｃは、後述する燃焼ガスにより加熱されて水蒸気改質反応に必要な熱が供給されることで、蒸発部１１ｂから供給された混合ガス（改質用原料および水蒸気）から改質ガスを生成して導出するものである。混合ガスが触媒によって反応し、改質されて水素ガスと一酸化炭素ガスが生成されている（いわゆる水蒸気改質反応）。これと同時に、水蒸気改質反応にて生成された一酸化炭素と水素が反応して水素ガスと二酸化炭素とに変成するいわゆる一酸化炭素シフト反応が生じている。これら生成されたガス（いわゆる改質ガス）は燃料電池１１ａの燃料極に導出されるようになっている。
【００１４】
燃料電池１１ａは、燃料と酸化剤ガスとにより発電するものである。燃料電池１１ａは、燃料極、空気極（酸化剤極）、および両極の間に介装された電解質からなる複数のセル１１ａ１が図２の左右方向に積層されて構成されている。本実施形態の燃料電池１１ａは、固体酸化物燃料電池であり、電解質として固体酸化物の一種である酸化ジルコニウムを使用している。燃料電池１１ａの燃料極には、燃料としての水素、一酸化炭素、メタンガスなどが供給される。セル１１ａ１の燃料極側には、燃料である改質ガスが流通する燃料流路１１ａ２が形成されている。セル１１ａ１の空気極側には、酸化剤ガスである空気（カソードエア）が流通する空気流路１１ａ３が形成されている。空気流路１１ａ３には、カソードエアがカソードエアブロワ１１ｉ（またはカソードエアポンプ）によって供給されている。
【００１５】
燃料電池１１ａにおいては、燃料極に供給された燃料と空気極に供給された酸化剤ガスによって発電が行われる。すなわち、燃料極では、下記化１および化２に示す反応が生じ、空気極では、下記化３に示す反応が生じている。すなわち、空気極で生成した酸化物イオン（Ｏ２−）が電解質を通過し、燃料極で水素と反応することにより電気エネルギーを発生させている。
（化１）
Ｈ２＋Ｏ２−→Ｈ２Ｏ＋２ｅ−
（化２）
ＣＯ＋Ｏ２−→ＣＯ２＋２ｅ−
（化３）
１／２Ｏ２＋２ｅ−→Ｏ２−
【００１６】
燃焼ガスは、燃料流路１１ａ２から導出した発電に使用されなかった改質ガスが、空気流路１１ａ３から導出した発電に使用されなかった酸化剤ガス（空気）によって燃焼されたものである。その燃焼が行われる場所が燃焼部１１ｄである。燃焼部１１ｄでの燃焼により、蒸発部１１ｂおよび改質部１１ｃが加熱される。
【００１７】
図１に示すように、熱交換器１２は、発電器１１から排気される燃焼排ガスが供給されるとともに貯湯槽２１からの貯湯水が供給され、燃焼排ガスと貯湯水とが熱交換する熱交換器である。具体的には、貯湯槽２１は、貯湯水を貯湯するものであり、貯湯水が循環する（図にて矢印の方向に循環する）貯湯水循環ライン２２が接続されている。貯湯水循環ライン２２上には、下端から上端に向かって順番に貯湯水循環ポンプ２２ａおよび熱交換器１２が配設されている。熱交換器１２は、発電器１１からの排気管１１ｊが接続（貫設）されている。
【００１８】
熱交換器１２において、発電器１１からの燃焼排ガスは、排気管１１ｊを通って熱交換器１２内に導入され、貯湯水との間で熱交換が行われ凝縮されるとともに冷却される。凝縮後の燃焼排ガスは排気管１１ｊを通って外部に排出される。なお、凝縮された凝縮水は、水タンク１１ｈに回収される。また、水タンク１１ｈは、凝縮水をイオン交換樹脂によって純水化するようになっている。
上述した熱交換器１２、貯湯槽２１および貯湯水循環ライン２２から、貯湯ユニット（排熱回収システム）２０が構成されている。貯湯ユニット２０は、発電器１１の排熱を貯湯水に回収して蓄える。
【００１９】
インバータ装置１３は、図１に示すように、発電器１１から供給された直流電流を交流電流に変換して出力するものである。インバータ装置１３は、電源ライン１５ｂを介して系統電源１５ａおよび外部電力負荷１５ｃ（例えば電化製品）と電気的に接続されている。インバータ装置１３から出力される交流電力および系統電源１５ａからの交流電力は電源ライン１５ｂを介して外部電力負荷１５ｃに出力されるようになっている。なお、インバータ装置１３は、電源ライン１５ｂを介して供給される系統電源１５ａからの交流電力を直流電力に変換して出力する機能も備えている。インバータ装置１３が出力する直流電力は、補機（原料ポンプ１１ｆ１、改質水ポンプ１１ｇ１など）や制御装置１４に供給されている。
【００２０】
制御装置１４は、発電器１１（燃料電池１１ａ）の制御を少なくとも行うものである。例えば、制御装置１４は、系統電源１５ａから電力供給があるときは、外部電力負荷１５ｃの消費電力となるように（消費電力に追従するように）燃料電池１１ａの発電量の制御を行う。
【００２１】
筐体１０ａについて詳述する。筐体１０ａは、図１に示すように、発電器１１を内部に備えている。筐体１０ａは、パネル３０、フレーム４０を備えている。
【００２２】
図３、図６〜図２０に示すように、パネル３０は、設置面に配置されるベースパネル３１、後側面パネル３２、左側面パネル３３、右側面パネル３４、天井パネル３５、および前側面パネル３６から構成されている。各パネル３１〜３６は主として板金部材を折り曲げ加工したものである。
【００２３】
図３に示すように、ベースパネル３１は筐体１０ａの底壁を構成するものであり、ベースパネル３１の下面にはこれを補強する補強レール３１ａが設けられている。ベースパネル３１の周縁部は上側に折り曲げられた折曲部３１ｂを備えている。この折曲部３１ｂには後述するフレーム４０の下端部がボルトによって固定されている。図１５に示すように、ベースパネル３１の前縁部の左右両側部には前側に突出した係止爪部（第一係止部）３１ｃが設けられており、係止爪部３１ｃは前側面パネル３６の下端（第一被係止部）３６ａを係止させるものである。ベースパネル３１の左右両側縁部には下側に延びた下縁が外側に延びる補強脚部３１ｄが設けられており、補強脚部３１ｄはベースパネル３１の左右両側部を補強している。
【００２４】
図６に示すように、後側面パネル３２は筐体１０ａの後壁を構成するものである。後側面パネル３２は、ベースパネル３１およびベースパネル３１に固定したフレーム４０にボルト等によって固定されている。後側面パネル３２の上縁及び左右両側縁は前側に折り曲げられた折曲部３２ａ，３２ｂ，３２ｃを備えている。
【００２５】
図６および図７に示すように、後側面パネル３２の左側（図６は後側からみたので、図６に示した状態では右側）の折曲部３２ｂの上下方向の中間部には前側に突出して後述するフレーム４０に係止する係止爪部（第二係止部）３２ｂ１が設けられている。図６、図９および図１０に示すように、後側面パネル３２の左側の折曲部３２ｂの上縁には上側に突出して左側面パネル３３を係止させる係止爪部３２ｂ２が設けられている。
【００２６】
図６および図８に示すように、後側面パネル３２の右側（図６は後側からみたので、図６に示した状態では左側）の折曲部３２ｃの上下方向の中間部には後述するフレーム４０に設けた係止爪部（第二係止部）４４ｂ１に係止する被係止孔部（第二被係止部）３２ｃ１が設けられている。図６、図１２および図１３に示すように、後側面パネル３２の右側の折曲部３２ｃの上縁には上側に突出して右側面パネル３４を係止させる係止爪部３２ｃ２が設けられている。
【００２７】
図９に示すように、左側面パネル３３は筐体１０ａの左壁を構成するものである。左側面パネル３３は、ベースパネル３１および後側面パネル３２にボルト等によって固定されている。左側面パネル３３の上縁及び前後両縁は右側（筐体１０ａの内側）に折り曲げられた折曲部３３ａ，３３ｂ，３３ｃを備えている。図１０に示すように、左側面パネル３３の上縁の折曲部３３ａの後部には被係止孔部（第一被係止部）３３ａ１が設けられており、被係止孔部３３ａ１は後側面パネル３２の係止爪部３２ｂ２が係止される。図１１に示すように、左側面パネル３３の前縁の折曲部３３ｂの下端部には後側に延びる係止爪部（第一係止部）３３ｂ１が設けられており、係止爪部３３ｂ１はベースパネル３１の前側の折曲部３１ｂの上縁（第一被係止部）に係止される。
【００２８】
図１２に示すように、右側面パネル３４は筐体１０ａの右壁の一部を構成するものである。右側面パネル３４は、ベースパネル３１に固定した後側面パネル３２およびベースパネル３１に固定したフレーム４０に固定されている。右側面パネル３４の上縁及び後縁は左側（筐体１０ａの内側）に折り曲げられた折曲部３４ａ，３４ｂを備えている。図１３に示すように、右側面パネル３４の上縁の折曲部３４ａには被係止孔部（第一被係止部）３４ａ１が設けられており、被係止孔部３４ａ１は後側面パネル３２の係止爪部３２ｃ２が係止される。図１２に示すように、右側面パネル３４の前端部には上下に並ぶ５つの被係止孔部（第一被係止部）３４ｃが設けられており、これら被係止孔部３４ｃは後述する第二前側面パネル３８の係止爪部（第一係止部）３８ａが係止される。
【００２９】
図１４に示すように、天井パネル３５は筐体１０ａの天井壁を構成するものである。天井パネル３５の周縁は下側に折り曲げられた折曲部３５ａを備えた浅い箱型形状をしている。天井パネル３５は前後及び左右のパネル３２，３３，３４及び３６の上縁に外嵌されている。天井パネル３５は左側面パネル３３および右側面パネル３４に固定されている。
【００３０】
図１５、図１７および図１９に示すように、前側面パネル３６は筐体１０ａの前側壁を構成するものであり、前面右側部を除く部分を覆う第一前側面パネル３７と、前面右側部の上部を覆う第二前側面パネル３８と、前面右側部の下部を覆う第三前側面パネル３９とから構成される。
【００３１】
図１５に示すように、第一前側面パネル３７はベースパネル３１に固定されている。図１５および図１６に示すように、第一前側面パネル３７の下端（第一被係止部）３７ａは上述したベースパネル３１の前縁部の係止爪部（第一係止部）３１ｃに係止される。第一前側面パネル３７の左側縁は折曲部３７ｂを備え、折曲部３７ｂは左側面パネル３３の前縁とオーバーラップしている。
【００３２】
図１７に示すように、第二前側面パネル３８はベースパネル３１に固定したフレーム４０に固定されている。第二前側面パネル３８の右端部には左側（筐体１０ａの内側）に突出する係止爪部（第一係止部）３８ａが上下に５つ並んで設けられており、これら係止爪部３８ａは右側面パネル３４の被係止孔部（第一被係止部）３４ｃに係止される。第二前側面パネル３８の左端部には左側（筐体１０ａの内側）に突出する係止爪部（第一係止部）３８ｂが上下に５つ並んで設けられており、これら係止爪部３８ｂは第一前側面パネル３７の右端部後面（第一被係止部）に係止される。図１７および図１８に示すように、第二前側面パネル３８の下縁には後側に屈曲した後縁がさらに下側に延びた舌部（第一被係止部）３８ｃが設けられている。舌部３８ｃの左右両側にはボルトの挿通用の孔部３８ｃ１と、左右方向の中央部には左右に延びる被係止スリット（第一被係止部）３８ｃ２とが設けられている。舌部３８ｃの被係止スリット３８ｃ２は第三前側面パネル３９の係止爪部（第一係止部）３９ａが係止される。
【００３３】
図１９および図２０に示すように、第三前側面パネル３９は、ベースパネル３１に固定したフレーム４０に固定されている。第三前側面パネル３９の上縁の左右方向の中央部には後側に延びる係止爪部（第一係止部）３９ａが設けられており、係止爪部３９ａは第二前側面パネル３８の下縁の舌部３８ｃに設けた被係止スリット（第一被係止部）３８ｃ２に係止される。第三前側面パネル３９の下縁には後側に折り曲げられた係止折曲部（第一係止部）３９ｂが設けられており、係止折曲部３９ｂはベースパネル３１の下面（第一被係止部）に係止される。第三前側面パネル３９の左側部の内側には左側に突出する上下に並ぶ２つの係止爪部（第一係止部）３９ｃが設けられており、これらの係止爪部３９ｃは第一前側面パネル３７の右端部後面（第一被係止部）に係止される。第三前側面パネル３９の右側部の内側には左側（筐体１０ａの内側）に突出する係止爪部（第二係止部）３９ｄが設けられており、係止爪部３９ｄは後述するフレーム４０に係止される。
【００３４】
図３および図６に示すようにフレーム４０は、ガスコジェネレーション１の各種機器を筐体１０ａ内に支持させるものである。フレーム４０は、筐体１０ａ内の左右方向の中央部にセンターフレーム４１と、左右両側にサイドフレーム４３，４４を備えている。
【００３５】
図３に示すように、センターフレーム４１は筐体１０ａの上部で発電器１１を支持するものである。センターフレーム４１は筐体１０ａ内の中央部の左右両側に左右一対の脚部４２を備えている。各脚部４２は前後一対の支柱部４２ａ，４２ｂと、これら支柱部（フレーム部材）４２ａ，４２ｂの上端部を連結する連結部（フレーム部材）４２ｃを備えている。前後の各支柱部４２ａ，４２ｂの下端部はベースパネル３１の折曲部３１ｂにボルトにより固定されている。図４に示すように、前側の支柱部（フレーム部材）４２ａの上端部には上側に突出する係止爪部（第三係止部）４２ａ１が設けられており、前後に延びる連結部（フレーム部材）４２ｃの前部には係止爪部４２ａ１が係止する被係止孔部（第三被係止部）４２ｃ１が設けられている。図５に示すように、連結部（フレーム部材）４２ｃの後部には係止爪部（第三係止部）４２ｃ２が設けられており、後側の支柱部（フレーム部材）４２ｂの上端部には係止爪部４２ｃ２が係止する被係止孔部（第三被係止部）４２ｂ１が設けられている。支柱部４２ａ，４２ｂの上端部と連結部４２ｃの前後端部は係止爪部４２ａ１，４２ｃ２が被係止孔部４２ｃ１、４２ｂ１に係止して仮止めされた状態でボルト等によって固定されている。
【００３６】
図９に示すように、左側のサイドフレーム４３は、貯湯槽２１を筐体１０ａ内に支持するものである。サイドフレーム４３はベースパネル３１の左側の後部の角部に支柱部４３ａを備え、支柱部４３ａの下端部はベースパネル３１の折曲部３１ｂに固定されている。支柱部４３ａの上部には連結板４３ｂが固定されており、連結板４３ｂの前端はセンターフレーム４１の前側の支柱部４２ａの上部に固定され、連結板４３ｂの後端はセンターフレーム４１の後側の支柱部４２ｂの上部に固定されている。図７に示すように、連結板４３ｂの前側上部は後側面パネル３２の折曲部３２ｂの係止爪部（第二係止部）３２ｂ１が係止される被係止部（第二被係止部）４３ｂ１となっている。
【００３７】
図１２に示すように、右側のサイドフレーム４４は、主としてインバータ装置１３、制御装置１４等の電気系の機器を支持するものである。サイドフレーム４４はベースパネル３１の右側の前後の角部に１対の支柱部４４ａ，４４ｂを備え、支柱部４４ａ，４４ｂの下端部はベースパネル３１の折曲部３１ｂに固定されている。１対の支柱部４４ａ，４４ｂの上部には支持板４４ｃが設けられており、支持板４４ｃはこれら１対の支柱部４４ａ，４４ｂと、センターフレーム４１の右側の脚部４２の支柱部４２ａ，４２ｂに固定されている。図６および図８に示すように、右側のサイドフレーム４４の後側の支柱部４４ｂの上部には外側に突出する係止爪部（第二係止部）４４ｂ１が設けられており、係止爪部４４ｂ１は後側面パネル３２の右側の被係止孔部（第二被係止部）３２ｃ１に係止される。図１７および図１８に示すように、右側のサイドフレーム４４の前側の支柱部４４ａの上部には上側に突出する係止爪部（第二係止爪部）４４ａ１が設けられており、係止爪部４４ａ１は第二前側面パネル３８の舌部（第二被係止部）３８ｃに係止される。
【００３８】
上記のように構成したガスコジェネレーション１の筐体１０ａを構成するフレームおよびパネルの組み付けおよび取り外し作業について説明する。先ず、ベースパネル３１にはフレーム４０（４１，４３，４４）を固定する。図３に示すように、ベースパネル３１の折曲部３１ｂにセンターフレーム４１の左右の脚部４２を固定する。図３〜図５に示すように、脚部４２を構成する前後の支柱部４２ａ，４２ｂの下端部を折曲部３１ｂに固定した後で、前側の支柱部４２ａの係止爪部（第三係止部）４２ａ１を連結部４２ｃの前側の被係止孔部（第三被係止部）４２ｃ１に係止させるとともに、連結部４２ｃの後側の係止爪部（第三係止部）４２ｃ２を後側の支柱部４２ｂの被係止孔部（第三被係止部）４２ｂ１に係止させて、前後の支柱部４２ａ，４２ｂに連結部４２ｃを仮止めする。前後の支柱部４２ａ，４２ｂに連結部４２ｃを仮止めした後で、ボルト等によって前後の支柱部４２ａ，４２ｂに連結部４２ｃを固定する。
【００３９】
センターフレーム４１をベースパネル３１に固定した後で、各種機器とともにサイドフレーム４３，４４をベースパネル３１とセンターフレーム４１にボルト等によって固定する。
【００４０】
筐体１０ａのパネルの組み付け作業では、先ず、図６に示すように、後側面パネル３２をベースパネル３１およびフレーム４０に取り付けるようにする。図７に示すように、後側面パネル３２の左側の係止爪部３２ｂ１を左側のサイドフレーム４３の連結板４３ｂの後側上縁（被係止部）４３ｂ１に係止させ、図８に示すように、後側面パネル３２の右側の被係止孔部（第二被係止部）３２ｃ１にサイドフレーム４４の後側の支柱部４４ｂの係止爪部（第二係止部）４４ｂ１を係止させる。この状態では、後側面パネル３２はベースパネル３１に固定したフレーム４０に仮止めされ、後側面パネル３２を手で持って支えることなくベースパネル３１およびフレーム４０にボルト等によって固定することができる。
【００４１】
後側面パネル３２をベースパネル３１およびフレーム４０に固定した後で、図９に示すように、左側面パネル３３をベースパネル３１およびベースパネル３１に固定した後側面パネル３２に取り付けるようにする。左側面パネル３３を後側面パネル３２より高い位置に持ち上げて、図１０に示すように、左側面パネル３３の上縁の被係止孔部（第一被係止部）３３ａ１に後側面パネル３２の左側の上縁の係止爪部（第一係止部）３２ｂ２を差し込んで係止させるとともに、図１１に示すように、前側下縁の係止爪部（第一係止部）３３ｂ１をベースパネル３１の前側の折曲部３１ｂの上縁（第一被係止部）に係止させる。この状態では、左側面パネル３３はベースパネル３１および後側面パネル３２に仮止めされ、左側面パネル３３を手で支えることなくベースパネル３１および後側面パネル３２にボルト等によって固定することができる。
【００４２】
左側面パネル３３をベースパネル３１および後側面パネル３２に固定した後で、図１２に示すように、右側面パネル３４をベースパネル３１に固定した後側面パネル３２とフレーム４０に取り付けるようにする。図１３に示すように、右側面パネル３４を後側面パネル３２より少し高い位置に持ち上げて、後側面パネル３２の右側の上縁の係止爪部３２ｃ２を右側面パネル３４の上縁の被係止孔部３４ａ１に係止させる。この状態では、右側面パネル３４は後側面パネル３２に仮止めされ、左側面パネル３３を手で持って支えることなく後側面パネル３２およびフレーム４０にボルト等によって固定することができる。なお、左側面パネル３３を取り付けてから右側面パネル３４を取り付けるように説明しているが、右側面パネル３４を取り付けてから左側面パネル３３を取り付けるようにしてもよい。
【００４３】
右側面パネル３４を後側面パネル３２およびフレーム４０に固定した後で、図１４に示すように、天井パネル３５を左側面パネル３３および右側面パネル３４に取り付けるようにする。天井パネル３５を後側面パネル３２、左側面パネル３３および右側面パネル３４に外嵌させ、天井パネル３５をボルト等によって左側面パネル３３および右側面パネル３４に固定する。
【００４４】
天井パネル３５を左側面パネル３３および右側面パネル３４に固定した後で、図１５に示すように、第一前側面パネル３７をベースパネル３１およびフレーム４０に取り付けるようにする。第一前側面パネル３７の上縁を天井パネル３５の前縁の内側に下側から差し込み、図１６の矢印に示すように、第一前側面パネル３７を鉛直に起立させた状態で下側に下ろし、ベースパネル３１の前縁の係止爪部（第一係止部）３１ｃに第一前側面パネル３７の下端（第一被係止部）３７ａを係止させる。この状態では、第一前側面パネル３７はベースパネル３１および天井パネル３５に仮止めされ、第一前側面パネル３７を手で持って支えることなくベースパネル３１にボルト等によって固定することができる。
【００４５】
第一前側面パネル３７をベースパネル３１に固定した後で、図１７に示すように、第二前側面パネル３８をフレーム４０に取り付けるようにする。第二前側面パネル３８を右側面パネル３４の右側から左側に移動させることで、第二前側面パネル３８の右端部にて上下に並ぶ５つの係止爪部（第一係止部）３８ａを右側面パネル３４の前縁にて上下に並ぶ５つの被係止孔部（第一被係止部）３４ｃに係止させ、第二前側面パネル３８の左端部にて上下に並ぶ５つの係止爪部（第一係止部）３８ｂを第一前側面パネル３７の右端部後面（第一被係止部）に係止させるとともに、図１８に示すように、第二前側面パネル３８の下縁の舌部（第二被係止部）３８ｃを右側のサイドフレーム４４の係止爪部（第二係止部）４４ａ１に係止させる。この状態で、第二前側面パネル３８は右側面パネル３４、第一前側面パネル３７およびフレーム４０に仮止めされている。第二前側面パネル３８の舌部３８ｃの孔部３８ｃ１を右側のサイドフレーム４４の前側の支柱部４４ａのボルト挿通孔に位置合わせし、ボルトを舌部３８ｃの孔部３８ｃ１を通してサイドフレーム４４のボルト挿通孔に締結することで、第二前側面パネル３８をボルト等によってフレーム４０に固定することができる。
【００４６】
第二前側面パネル３８をフレーム４０に固定した後で、図１９および図２０に示すように、第三前側面パネル３９をフレーム４０に取り付けるようにする。第三前側面パネル３９を後側に移動させることで、第三前側面パネル３９の上縁の係止爪部（第一係止部）３９ａを第二前側面パネル３８の被係止スリット（第一被係止部）３８ｂ２に係止させるとともに、第三前側面パネル３９の下縁の係止折曲部（第一係止部）３９ｂをベースパネル３１の前側下面（第一被係止部）に係止させる。また、併せて、第三前側面パネル３９を図２０の矢印に示すように左側に移動させることで、第三前側面パネル３９の左端部の係止爪部（第一係止部）３９ｃを第一前側面パネル３７の右端部後面（第一被係止部）に係止させるとともに、第三前側面パネル３９の右端部の係止爪部（第二係止部）３９ｄをサイドフレーム４４の前側の支柱部４４ａの後側（第二被係止部）に係止させる。この状態で、第三前側面パネル３９はベースパネル３１、第二前側面パネル３８およびフレーム４０に仮止めされ、第三前側面パネル３９を手で支えることなくフレーム４０にボルト等によって固定することができる。
【００４７】
また、筐体１０ａ内の機器のメンテナンス等をするときに、筐体１０ａを構成するパネルを取り外す取り外し作業では、上述したパネルの組み付け作業と逆の順番（第三前側面パネル３９，第二前側面パネル３８，第一前側面パネル３７・・・の順）で取り外す。各パネルを取り外すときには、ボルト等を取り外した後で、隣接する一対のパネルを仮止めさせている第一係止部の第一被係止部に対する係止を解離させ、また、パネルをフレームに仮止めさせている第二係止部を第二被係止部に対する係止を解離させて、各パネルを組み付けした順番と逆の順番で取り外していく。
【００４８】
上述した説明から明らかなように、本実施形態のガスコジェネレーション１は、発電器１１を内部に配設した筐体１０ａを備えたガスコジェネレーションである。筐体１０ａは複数のパネル３１〜３９を有し、複数のパネル３１〜３９を構成する互いに隣接する一組のパネルの一方には第一係止部と、一組のパネルの他方には第一係止部に係止して一組のパネルの一方を他方に仮止めさせる第一被係止部とを備えている。
なお、隣接する一組のパネルの一例として、ベースパネル３１と左側面パネル３３、後面側パネル３２と左側面パネル３３等があげられ、これらの場合の第１係止部と第１被係止部として、左側面パネル３３の係止爪部（第一係止爪部）３３ｂ１とベースパネル３１の折曲部３１ｂの上縁（第１被係止部）、後側面パネル３２の係止爪部（第１係止部）３２ｂ２と左側面パネル３３の被係止孔部（第一被係止部）３３ａ１があげられる。なお、これらは一例であって、上述したように他にも隣接する一組のパネル、第一係止部と第一被係止部があるが、これらの説明は省略する。
【００４９】
これによれば、筐体１０ａを構成する各パネル３１〜３９を組み付けるときに、筐体１０ａの複数のパネル３１〜３９を構成する隣接する一組のパネルの一方の第一係止部を他方のパネルの第二係止部に係止させることによって、一方のパネルを他方のパネルに仮止めできるようになる。一方のパネルは他方のパネルに仮止めされるようになるために、一方のパネルを手で持って支えることなく、一方のパネルを他方のパネルに固定することができるようになる。このように、パネル３１〜３９の組み付け作業の作業性を向上させることができる。
【００５０】
また、筐体１０ａを構成する各パネル３１〜３９を取り外すときにボルト等を取り外しても、筐体１０ａの複数のパネル３１〜３９を構成する隣接する一組のパネルの一方の第一係止部が他方のパネルの第一被係止部に係止した状態が維持されるため、一方のパネルが他方のパネルから外れ落ちないようになる。このように、ボルト等を取り外しても、一方のパネルは他方のパネルから外れ落ちないので、一方のパネルを手で持って支えることなくボルト等の取り外し作業することができるようになる。このように、パネル３１〜３９の取り外し作業の作業性を向上させることができる。
【００５１】
筐体１０ａを構成する複数のパネル３１〜３９を互いに組み付けるときに、パネル３１〜３９を互いに組み付けるだけでは筐体１０ａの強度が低いおそれがあるため、筐体１０ａ内にフレームを設けると筐体１０ａ内の強度を高くすることができる。筐体１０ａにフレームを設けたときにも、パネル３１〜３９を手で持って支えながら組み付け作業をするよりも、パネル３１〜３９をフレームに仮止めする方が組み付け作業の作業性がよくなる。
【００５２】
これに対し、上述した実施形態では、筐体１０ａは複数のパネル３１〜３９の少なくとも一つを取り付けるフレーム４０を有し、複数のパネル３１〜３９の一つと、フレーム４０と、の一方には第二係止部と、複数のパネル３１〜３９の一つと、フレーム４０と、の他方には、第二係止部に係止して複数のパネル３１〜３９の一つをフレーム４０に仮止めさせる第二被係止部とを備えている。
なお、複数のパネル３１〜３９の一つとフレーム４０との一例として、後側面パネル３２と左側のサイドフレーム４３、後側面パネル３２と右側のサイドフレーム４４等があげられ、これらの第二係止部と第二被係止部の一例として、後側面パネル３２の係止爪部（第二係止部）３２ｂ１と左側のサイドフレーム４３の連結板４３ｂの前側上部の被係止部（第二被係止部）４３ｂ１、右側のサイドフレーム４４の係止爪部（第二係止部）４４ｂ１と後側面パネル３２の被係止孔部（第二被係止部）３２ｃ１があげられる。なお、これらは一例であって、上述したように他にもパネル３１〜３９の一つとフレーム４０、第二係止部と第二被係止部があるが、これらの説明は省略する。
【００５３】
これによれば、複数のパネル３１〜３９の一つとフレーム４０との一方の第二係止部を、他方の複数のパネル３１〜３９の一つとフレーム４０との他方の第二被係止部に係止させることで複数のパネル３１〜３９の一つをフレーム４０に仮止めできるようになり、パネル３１〜３９のフレーム４０に対する組み付け作業および取り外しの作業の作業性を向上させることができる。
【００５４】
また、筐体１０ａ内にフレーム４０を組み付けるときに、フレーム４０を構成する複数のフレーム部材を互いに連結させるときに、複数のフレーム部材を手で持って支えながら組み付け作業をすると、組み付け作業の作業性がよくない。
【００５５】
これに対して、上述した実施形態では、フレーム４０は複数のフレーム部材４２ａ，４２ｂ，４３ｃを互いに連結させて一体的に組みつけたものであり、互いに連結される複数のフレーム部材４２ａ，４２ｂ，４３ｃの一方には第三係止部（係止爪部４２ａ１，係止爪部４２ｃ２）と、互いに連結される複数のフレーム部材４２ａ，４２ｂ，４３ｃの他方には第三係止部に係止して、複数のフレーム部材４２ａ，４２ｂ，４３ｃの一方を他方に仮止めさせる第三被係止部（被係止孔部四二ｃ１，被係止孔部４２ｂ１）とを備えている。
【００５６】
これによれば、互いに連結される複数のフレーム部材４２ａ，４２ｂ，４３ｃの一方の第三係止部を第三被係止部に係止させることで、複数のフレーム部材４２ａ，４２ｂ，４３ｃの一方を他方に仮止めさせることできるようになり、フレームの組み付け作業の作業性を向上させることができる。
【００５７】
上述した実施形態では、ベースパネル３１にフレーム４０が固定され、ベースパネル３１を除く複数のパネル３２〜３９は、第一係止部が第一被係止部に係止されるとともに、第二係止部が第二被係止部に係止されることでベースパネル３１またはフレーム４０に仮止めされた状態でベースパネル３１またはフレーム４０に固定されている。
【００５８】
これによれば、設置面に設置したベースパネル３１にフレーム４０を固定した後で、第一係止部を第一被係止部に係止させ、第二係止部を第二被係止部に係止させることで、ベースパネル３１を除く複数のパネル３２〜３９をベースパネル３１、フレーム４０、ベースパネル３１および／またはフレーム４０に固定したパネルに仮止めした状態で固定できるようになり、パネル３１〜３９の組み付けの作業および取り外しの作業の作業性を向上させることができる。
【００５９】
また、筐体１０ａを構成するパネル３１〜３９を組み付けるときに係止させる第一係止部と第一被係止部の係止部分、パネル３１〜３９の一つをフレーム４０に固定するときに係止させる第二係止部と第二被係止部の係止部分、フレーム４０のフレーム部材を組み付けるときに係止させる第三係止部と第三被係止部の係止部分が外側から見えると筐体１０ａの見栄えがよくない。
【００６０】
これに対し、複数のパネル３１〜３９を互いに組み付けて筐体１０ａとした状態で、第一係止部と第一被係止部の係止部分、第二係止部と第二被係止部の係止部分、および／または、第三係止部と第三被係止部の係止部分は、外側から見えない位置に配置されている。これによって、筐体１０ａの見栄えもよくすることができる。  
【００６１】
１…ガスコジェネレーション、１０…発電ユニット、１０ａ…筐体、１１…発電器、１１ａ…燃料電池、１１ｂ…蒸発部、１１ｃ…改質部、１１ｄ…燃焼部、１１ｅ…筐体、１２…熱交換器、１３…インバータ装置、１４…制御装置、２０…排熱回収システム、２１…貯湯槽、３１…ベースパネル（パネル）、３２…後側面パネル（パネル）、３３…左側面パネル（パネル）、３４…右側面パネル（パネル）、３５…天井パネル（パネル）、３６…前側面パネル（パネル）、３７…第一前側面パネル（パネル）、３８…第二前側面パネル（パネル）、３９…第三前側面パネル（パネル）、４０…フレーム、４２ａ，４２ｂ，４３ｃ…フレーム部材。
【図１】
0006728753.tif 000002
【図２】
0006728753.tif 000003
【図３】
0006728753.tif 000004
【図４】
0006728753.tif 000005
【図５】
0006728753.tif 000006
【図６】
0006728753.tif 000007
【図７】
0006728753.tif 000008
【図８】
0006728753.tif 000009
【図９】
0006728753.tif 000010
【図１０】
0006728753.tif 000011
【図１１】
0006728753.tif 000012
【図１２】
0006728753.tif 000013
【図１３】
0006728753.tif 000014
【図１４】
0006728753.tif 000015
【図１５】
0006728753.tif 000016
【図１６】
0006728753.tif 000017
【図１７】
0006728753.tif 000018
【図１８】
0006728753.tif 000019
【図１９】
0006728753.tif 000020
【図２０】
0006728753.tif 000021